Podtech/llm-jp-corpus-v4-ja_patent huggingface dataset:
(57)【要約】【課題】この発明は、自動車を走行中に道路路肩路側帯の視認性向上を図り、車線からのはみ出しによる事故や脱輪といったトラブルを防ぐ事を目的とする自動車用反射器を提案すること。【解決手段】図１からなる本体自動車用反射器を図２のように車内に設置し、光源および反射面を利用し擬似白線を車内フロントガラス上に照射し路肩路側帯と重ね合わせることにより、運転する自動車の左側車輪が左白線を基準としてどの位置を走行しているのかを簡単に把握する事が可能となる。悪天候時や日照のない日中および夜間は蛍光管を光源に用い、日中は太陽光を反射材を貼付した反射面より照射する事で、外部環境に左右される事なく常に効果を得る事が出来る。【選択図】図１
2007223446.tif 000002
【特許請求の範囲】
【請求項１】
本発明は、自動車前部に設けられた反射器によってフロントガラスに擬似白線を映し出し、走行中に実視する外の左路肩白線と重ね合わせる事を特徴とする自動車用反射器。
【請求項２】
請求項１に記載の通り自動車用反射器であり、日中の太陽光がある時には太陽光を利用する自動車用反射器。
【請求項３】
請求項１乃至請求項２の何れに記載の自動車用反射器であり、昼太陽光がある時は反射材を貼付した反射板を利用する事を特徴とする自動車用反射器。
【請求項４】
請求項３に記載の反射光源となる蛍光管電源は、電池ではなくカーバッテリーを電源供給元に使用する事を特徴とする自動車用反射器。
【請求項５】
図１の本体Ａ構造上の解説はＡ−１は白でＡ−３の切り込みを入れる事で、請求項４乃至請求項５にて記載の下面に設置した光源とする蛍光管の光を、上面であるフロントガラスに照射させる事で夜間にも使用出来る事を特徴とする自動車用反射器。
【請求項６】
反射器は図１のＡ部分とＡ−８部分は固定せずＡ−５の蝶ネジで接続し、且つ上下可動のしくみを持つ事を特徴とする自動車用反射器。
【請求項７】
Ａ−６部分とＡ−７部分も固定せずＡ−６の蝶ネジで接続し、且つ左右可動のしくみを持つ事を特徴とする自動車用反射器。
【請求項８】
請求項４乃至請求項５にて記載の下面に設置した光源とする蛍光管をＡ−２のボックスに挿入出来る構造を特徴とする自動車用反射器。
【請求項９】
図１のＡ−７部分の下面を、両面テープまたは粘着テープにより車内ダッシュボート上へ固定する事を特徴とする自動車用反射器。
【発明の詳細な説明】
【技術分野】
【０００１】
この発明は、自動車を走行中に運転する車の左側車輪が左白線を基準にして、どの位置を走行しているのかを一回で判断出来、もって車線からのはみ出しによる事故や脱輪といったトラブルを防ぐ事を目的とした発明である。
【背景技術】
【０００２】
従来の発明（特願２００２−１８９４３３）は、レーザー光線またはスポットライト等を使用して道路上に照射する方法であるのに対して、本発明は光源および反射面を利用し擬似白線を車内フロントガラス上に照射し、路肩路側帯と重ね合わせる方法である。
【特許文献１】特開２００１−１１４０１５
【発明の開示】
【発明が解決しようとする課題】
【０００３】
この種の発明においては路肩照射灯としてレーザー光線またはスポットライト等を使用するが、この方法の場合、昼の明るい状態ではほとんど機能しない。また路面状況により照射の状況が変化しやすいため、一定の効果が得られにくい。
【課題を解決するための手段】
【０００４】
請求項３の発明によれば、日中の太陽光の下ではその光を利用して、図１のＡ−１をフロントガラス上に映し出し、その擬似白線を実視する外の左白線上に重ね合わせる事により、位置を測る方法である。
【０００５】
請求項５の発明によれば、夜間は蛍光管を図１のＡ−２の中にＡ−４を挿入して光源を作り、フロントガラスに反射させて擬似白線を作り、その擬似白線を実視する外の左白線上に重ね合わせる事により、昼夜両方に効果的である。
【発明を実施するための最良の形態】
【０００６】
初回導入においては、図１のＡ−７部分の下面を、両面テープまたは粘着テープにより車内ダッシュボート上へ固定し、自動車をいったん停止し、左側車線の上に左車輪を乗せた状態にした上で、通常走行時の運転者位置を決定してから、Ａ−５の上下可動可能な蝶ネジおよびＡ−６の左右可動可能な蝶ネジを調整し、自動車前部に設けられた反射器によってフロントガラスに擬似白線を映し出し、走行中に実視する外の左路肩白線と重ね合わせた後に本体反射器の据付位置を決定し、蝶ネジを固定する。ここまでは初回導入時のみの設定である。以降は据え付けたままで、図１からなる本体自動車用反射器を図２のように車内に設置し、光源および反射面を利用し擬似白線を車内フロントガラス上に照射し路肩路側帯と重ね合わせることにより、運転する自動車の左側車輪が左白線を基準としてどの位置を走行しているのかを簡単に把握する事が可能となる。悪天候時や日照のない日中および夜間は蛍光管を光源に用い、日中は太陽光を反射材を貼付した反射面より照射する事で、外部環境に左右される事なく常に効果を得る事が出来る。
【実施例１】
【０００７】
請求項９の発明によれば、図１のＡ−７部分の下面を、両面テープまたは粘着テープにより車内ダッシュボート上へ固定する。
【実施例２】
【０００８】
請求項６、７の発明によれば、自動車をいったん停止し、左側車線の上に左車輪を乗せた状態にした上で、通常走行時の運転者位置を決定してから、Ａ−５の上下可動可能な蝶ネジおよびＡ−６の左右可動可能な蝶ネジを調整し、自動車前部に設けられた反射器によってフロントガラスに擬似白線を映し出し、走行中に実視する外の左路肩白線と重ね合わせた後に本体反射器の据付位置を決定し、蝶ネジを固定する。
【実施例３】
【０００９】
日中では、太陽光を利用して、図１のＡ−１をフロントガラス上に映し出し、その擬似白線を実視する外の左白線上に重ね合わせる事により、位置を測る。
【実施例４】
【００１０】
悪天候時や日照のない日中および夜間は、蛍光管を図１のＡ−２の中にＡ−４を挿入して光源を作り、フロントガラスに反射させて擬似白線を作り、その擬似白線を実視する外の左白線上に重ね合わせる事により、位置を測る。
【図面の簡単な説明】
【００１１】
【図１】この発明の本体を示す自動車用反射器の外観斜視図である。
【図２】この発明の一実施形態を示す設置図および左車輪位置の確認パターンを示す説明図である。
【図３】この発明の一実施形態を示す路面と反射器によるフロントガラスへの照射の認識パターンを示す説明図である。
【符号の説明】
【００１２】
Ａ−１    天板（上面は白）
Ａ−２    蛍光管挿入ボックス
Ａ−３    蛍光発光切入構
Ａ−４    蛍光管
Ａ−５    １、２を上下に調整する蝶ネジ
Ａ−６    ８、７を左右に調整する蝶ネジ
Ａ−７    車のダッシュボードに貼り付ける基台
Ａ−８    １、２を支える上下調整板
Ａ−９    蛍光管電源コード
１  フロントガラス面に１の上面の白線が反射状態
２  光線入射光
３  １の白板の反射光
４  車前方左白線
５  車前方右白線
６  車前方左側溝
７  センターライン
８  車前方右側溝
９  ハンドル
１０  フロントガラス
１'  Ａ−１が前方４〜５ｍ先に映っている状態（擬似白線）
【図１】
2007223446.tif 000003
【図２】
2007223446.tif 000004
【図３】
2007223446.tif 000005
(57)【要約】【課題】開口部が大きいサンルーフにおいて少しの重量増加で低コストにより強度、剛性を確保し、見栄えがよく、かつ着座者への圧迫感や邪魔感を与えることのないサンルーフのサンシェード収納部構造を提供する。【解決手段】自動車の前席上から後席上に渡って大きく開口されているサンルーフ１において、前記サンルーフ１の下面に前席側サンシェード４と後席側サンシェード５を前後方向にスライド可能に設け、前席２と後席３との間の上方に車幅方向に延在するセンタフレーム７を内設した天井６を設け、この天井６内に前席側サンシェード４と後席側サンシェード５を重ねて収納するためのサンシェード収納部６ａを形成した。【選択図】図１
2007223552.tif 000002
【特許請求の範囲】
【請求項１】
自動車の前席上から後席上に渡って大きく開口されているサンルーフにおいて、前記サンルーフの下面に前席側サンシェードと後席側サンシェードを前後方向にスライド可能に設け、前席と後席との間の上方に車幅方向に延在するセンタフレームを内設した天井を設け、この天井内に前記前席側サンシェードと後席側サンシェードを重ねて収納するためのサンシェード収納部を形成したことを特徴とするサンルーフのサンシェード収納部構造。
【発明の詳細な説明】
【技術分野】
【０００１】
本発明は、自動車の前席上から後席上に渡って形成されているサンルーフのサンシェード収納部構造に関するものである。
【背景技術】
【０００２】
図３で示すＳＵＶ車等で開放感の高い開口部の大きなサンルーフ１が形成されている車両が近年流行している。このサンルーフ１の下面にはサンシェード９が前後方向にスライド可能に設けられており、このサンシェード９の収納場所１０が後席３上に設けられている。
【０００３】
このような開口部が大きいサンルーフ１では、それに伴いサンシェード９の枚数が増えるため収納場所１０に重ねて収納した時に厚くなり見栄えが悪く、また、後席着座者への圧迫感や邪魔感を与える。
【０００４】
また、開口部が大きいサンルーフ１では、天井廻りのヘッダー、ルーフサイド部で強度、剛性アップ対策をしているが、重量の増加、コスト高となっている。
【特許文献１】特開平６−２５５３７５公報
【特許文献２】特開２００２−１０３９７７公報
【特許文献２】特開２００３−１８２３６９公報
【発明の開示】
【発明が解決しようとする課題】
【０００５】
本発明は、開口部が大きいサンルーフにおいて少しの重量増加で低コストにより強度、剛性を確保し、見栄えがよく、かつ着座者への圧迫感や邪魔感を与えることのないサンルーフのサンシェード収納部構造を提供することを目的とする。
【課題を解決するための手段】
【０００６】
本発明は、この目的を達成するために、請求項１に記載の通り、自動車の前席上から後席上に渡って大きく開口されているサンルーフにおいて、前記サンルーフの下面に前席側サンシェードと後席側サンシェードを前後方向にスライド可能に設け、前席と後席との間の上方に車幅方向に延在するセンタフレームを内設した天井を設け、この天井内に前記前席側サンシェードと後席側サンシェードを重ねて収納するためのサンシェード収納部を形成したことを特徴とするものである。
【発明の効果】
【０００７】
本発明によれば、前席と後席との間の上方に設けた天井に内接した車幅方向に延在するセンタフレームにより従来のように重量を増加することなく、少しの重量増加で低コストにより強度、剛性を確保する。また、前記センタフレームは天井で隠蔽されているため外観を損なうことがない。さらに、前席と後席との間の上方に設けた天井内に複数枚からなる前席側サンシェードと後席側サンシェードを重ねて収納するため、見栄えがよく、かつ前後席着座者の何れも圧迫感や邪魔感を与えることがなく良好な室内居住性が得られる効果を有している。
【発明を実施するための最良の形態】
【０００８】
以下本発明を実施するための最良の形態について図面に基づいて説明する。図１において、１は前席２上から後席３上に渡って大きく開口されているサンルーフである。本発明は、前記サンルーフ１の下面に前席側サンシェード４と後席側サンシェード５をスライド可能に設け、また、前席２と後席３との間で乗員に対して邪魔にならない車室前後方向の中央近傍に天井６を設け、この天井６内に車幅方向に延在するセンタフレーム７を設定し、前記天井６内に複数枚からなる前席側サンシェード４と後席側サンシェード５を重ねて収納するためのサンシェード収納部６ａを形成したものである。
【０００９】
本発明は上記の通りの構造であるから、前席側サンシェード４と後席側サンシェード５は前席２と後席３との間の上方で乗員に対して邪魔にならない車室前後方向の中央近傍に設けた天井６内をサンシェード収納部６ａとし、このサンシェード収納部６ａに複数枚からなる前席側サンシェード４と後席側サンシェード５を重ねて収納するようにしたため、見栄えがよく、かつ前後席着座者の何れも圧迫感や邪魔感を与えることなく良好な室内居住性が得られる。
【００１０】
前記天井６内に設定した車幅方向に延在するセンタフレーム７は天井６により隠蔽されるため外観を損なうことがなく、また、開口部が大きいサンルーフにおいて少しの重量増加で低コストにより強度、剛性を確保することができる。
【図面の簡単な説明】
【００１１】
【図１】本発明の要部断面図
【図２】本発明要部拡大断面図
【図３】従来のサンルーフのＳＵＶ車の要部断面図を示す斜視図
【符号の説明】
【００１２】
１       サンルーフ
２       前席
３       後席
４       前席側サンシェード
５       後席側サンシェード
６       天井
６ａ     サンシェード収納部
７       センタフレーム
【図１】
2007223552.tif 000003
【図２】
2007223552.tif 000004
【図３】
2007223552.tif 000005
(57)【要約】【課題】車の運転中において眠気防止器具として手の平に刺激を与えるタイプのものがあるが、眠気が有るときには頭部刺激が有効で運転に差し支えないものを課題とした。【解決手段】上記の課題を解決するための請求項１の発明は、車の座席頭部部位に刺激効果のある多数の突起物を持つ伸縮性の布状バンドを取り付け運転中に眠気を感じた場合には運転手が頭部を座席頭部部位に押し付けることで後頭部または首筋に刺激を与え眠気防止効果を与えてくれるものである。【選択図】図１
2007223580.tif 000002
【特許請求の範囲】
【請求項１】
本器具は車の運転中にハンドルを握ったまま後頭部や首筋のつぼ押しができるもので眠気防止や気分のリフレッシュ効果を目的として車のシートの頭部部分に容易に取り付け取り外しができる伸縮性のある布地のバンド状のものに複数の突起部を付けたものである。
【発明の詳細な説明】
【技術分野】
【０００１】本発明は車の座席に取り付ける装備品に関する技術分野
【背景技術】
【０００２】従来眠気防止効果の器具は手に刺激を与えるタイプが知られている。
【特許文献１】  特開２００３−７０８７６号公報
【発明の開示】
【発明が解決しようとする課題】
【０００３】車の運転中において眠気防止器具として手の平に刺激を与えるタイプのものがあるが、眠気が有るときには頭部や首筋の刺激が有効であるため、この頭部や首筋を刺激できて運転に差し支えないものを課題とした。
【課題を解決するための手段】
【０００４】上記の課題を解決するための請求項１の発明は、車の座席頭部部位に刺激効果のある多数の突起物を持つ伸縮性の布状バンドを取り付け運転中に眠気を感じた場合には運転手が頭部を座席頭部部位に押し付けることで後頭部に刺激を与え眠気防止効果を与えるものである。【０００５】この取り付けは座席頭部部位に上から被せるだけで容易に使用でき未使用時に簡単に取り外しができて通常の座席の頭部当てに戻すことができる。
【発明の効果】
【０００６】本発明により運転中の後頭部刺激による眠気防止や長時間運転の首筋の指圧効果が得られ気分をリフレッシュさせ居眠り運転による事故防止に貢献できる。
【発明の実施するための最良の形態】
【０００７】本体には１のように多数の突起部がありこの部分が後頭部または首筋を刺激するものである。
【０００８】２の部分はゴム状に伸縮する布地で出来ているためどのタイプの座席頭部部位にも伸して容易に設置できるものである。
【産業上の利用可能性】
【００９】本発明に係る眠気防止ツボ押し器具は工業的に量産する事が可能であるため、産業上の利用可能性を有する。
【図面の簡単な説明】
【００１０】
【図１】  本体使用時図
【図２】  本体未使用時斜視図
【図３】  基盤部図
【符号の説明】
【００１１】  １    突起部
２    伸縮性布部
３    基盤部
【図１】
2007223580.tif 000003
【図２】
2007223580.tif 000004
【図３】
2007223580.tif 000005
(57)【要約】【課題】本発明が解決しようとする第一の課題は、水上高く飛散するものや、水中に浮遊するものを捕捉できるフェンスを作る事である。第二の課題は、水上に広い表示面を作る事である。【解決手段】浮体１に柱２を挿入し、柱の端部に錘３を取り付ける。この構成の浮体１錘３付き柱２を必要数並べ、互いを網又は幕４でつなぐ。このように構成された形態の物を水に設置すれば、浮体１が支点となって、錘３側は水中に沈み、柱２の他の端部は水上に持ち上がるから、網又は幕４は水上と水中の両方に垂直に張る事ができる。【選択図】図１
2007223577.tif 000002
【特許請求の範囲】
【請求項１】
浮体１に柱２を挿入し、柱の端部に錘３を取り付ける。このように構成された浮体１と錘３付き柱２を必要数並べ、互いを網又は幕４でつなぐ。このように構成された、水上水中の両用に使えるフェンス。
【発明の詳細な説明】
【技術分野】
【０００１】  この発明は、水上水中の安全、防護、表示施設に関するものである。
【背景技術】
【０００２】  従来の浮遊物防護用のフロートフェンスは、水上高く飛散するものや、水中に浮遊するものを捕捉する事が出来ないものが多かった。【０００３】  従来の浮標は、広い表示面を作ることが出来なかった。
【発明の開示】
【発明が解決しようとする課題】
【０００４】  本発明が解決しようとする第一の課題は、水上高く飛散するものや、水中に浮遊するものを捕捉できるフェンスを作る事である。【０００５】  本発明が解決しようとする第二の課題は、水上に広い表示面を作る事である。
【課題を解決するための手段】
【０００６】  浮体に柱を挿入し、柱の端部に錘を取り付けて水に設置すれば、浮体が支点となって、錘側は水中に沈み、柱の他の端部は水上に持ち上がり、柱は垂直に立つ。このように構成された浮体と錘付き柱を必要数並べ、網又は幕でつなぐ。本発明は、このように構成する事により、水上と水中の両方に網又は幕を張る事ができ、さらに水上に広い表示面を作る事ができることを最も主要な特徴とする。
【発明を実施するための最良の形態】
【０００７】  この発明を実施するための最良の形態の概要を図１に示す。柱部分を図２で説明すれば、浮体１に柱２を挿入し、柱の片方の端部に錘３を取り付ける。図１で示すように、このように構成された形態の、浮体１と錘３付き柱２を必要数並べ、互いを網又は幕４でつなぐ。このように構成されたものを、水に設置すると、浮体１が水表面７に浮かんだ支点となって、柱２の錘３側は水中に沈み、柱２の他端は水上に垂直に持ち上げられるので、網又は幕４は垂直面となる。位置固定が必要な場合は、ロープ５で浮体１とアンカー６を繋ぎ、水底面８に固定する。このように構成された形態。
【発明の効果】
【０００８】  網又は幕４を、水上および水中に、垂直に立てる事が出来るので、水上および水中での視認性が高い。
【０００９】  多少の波でも柱２の垂直性は保たれ、傾いたとしても自己復元性が高い。
【００１０】  構造が簡単であるので安価に製作が出来、運搬や設置が容易である。
【実施例】
【００１１】  浮体１の浮力が不足する場合は、浮体を複数個つないで使用する。【００１２】  浮体１をドーナッツ状又は帯状にし、アンカーロープ５を浮力心につなげば、柱２は、より倒れにくくなる。【００１３】  用途に応じて、アンカーロープ５は、水底や陸上に固定する。用途に応じて船舶で曳航する。【００１４】  柱２には、用途に応じた高さや深さに、カメラ、灯具、発信機、反射板、旗、測定器等の機器を取り付ける。
【産業上の利用可能性】
【００１５】  水上水中両用の浮遊物防護フロートフェンスとして使用すれば、今までの防護用フロートフェンスでは捕捉出来なかったオイルボールなどの比重が水に近い水中に浮遊する物質や、長大な倒木などの捕捉も可能であり、波高にも左右されにくい。【００１６】  航路表示浮標として、水面より高い位置に、連続点や線状又は面状に表示をすれば、従来の浮標のような点状の表示より、明確な航路表示ができる。【００１７】  水上水中両用の網やフロートフェンスとして使用すれば、大型水棲動物やとびうお類の捕獲、養殖、保護などの利用が可能である。【００１８】  水上の幕を表示面として使えば、広告物の水上での表示、水上スポーツ用の表示面等に利用が可能である。【００１９】  網の材種により、港湾閉鎖、潜水艇防護柵、喫水線保護、遮蔽眩惑幕、射撃練習用標的、海上アンテナなどの軍事利用が可能である。
【図面の簡単な説明】
【００２０】
【図１】この発明の実施形態の概要を示す斜視図である。
【図２】この発明の浮体１と錘３付き柱３部分の概要を示す断面図である。
【符号の説明】
【００２１】      １  浮体
２  柱
３  錘
４  網又は幕
５  ロープ又はチェーン
６  アンカー又は固定錘
７  水底面
８  水表面
【図１】
2007223577.tif 000003
【図２】
2007223577.tif 000004
(57)【要約】【課題】場所を取らずルーズリーフ用紙やパンチ穴用紙をファイリングするファイラー【解決手段】パンチ穴の開いた座板（１）（１）と針金入り紐（２）（２）がついている座板（３）（３）の紐（２）（２）を用紙（４）（４）の穴に通して、座板（１）（１）の穴も通して座板（１）（１）と（３）（３）の間に用紙（４）を挟み、紐（２）を上で拠ってきつく挟みこんで綴じるファイラー【選択図】図２
2007223294.tif 000002
【特許請求の範囲】
【請求項１】
パンチ穴の開いた座板（１）（１）と、その位置に針金入り紐（２）（２）の付いた座板（３）（３）の２枚の間に針金入りの紐（２）（２）を通して用紙（４）（４）を挟みこみ、その針金入り紐を中央に引き寄せて拠って綴じる、パンチ穴の開いた用紙やルーズリーフ用紙を綴じるファイラー
【発明の詳細な説明】
【発明の詳細な説明】
【技術分野】
【０００１】本発明は、書類や用紙を綴じてファイリングする、ファイラーに関する技術である。
【背景技術】
【０００２】ルーズリーフ用紙を開閉する事で取り外し自由なルーズリーフノートバインダーはあった。プラスチックの板状の紐を穴に通して座金をかぶせ、その座金とスライドする留め金とにプラスチックの板を挟んで綴じるファイラーはあった。また、パンチ穴の位置に金属棒が立っていて、そこに、用紙を通して蓋をするようにしてファイリングするファイラーはあった。
【発明が解決しようとする課題】
【０００３】これらには次の様な欠点があった。
あ）これらの方法は大掛かりで場所を取り
い）コストもかかりもっと簡単でスマートで経済的なファイラーが欲しかった。
う）又、ルーズリーフノート用紙を手軽にファイリングするファイラーがなかった。
【課題を解決する為の手段】
【０００４】パンチ穴の開いた座板（１）（１）と針金入り紐（２）（２）がついている座板（３）（３）の紐（２）（２）を用紙（４）（４）の穴に通して、座板（１）（１）の穴も通して座板（１）（１）と（３）（３）の間に用紙（４）を挟み、紐（２）を上で拠ってきつく挟みこんで綴じるファイラー
【発明を実施するための最良の形態】
【０００５】パンチ穴の開いた２枚の座板（１）（１）と（３）（３）の片方（３）（３）に針金入りの紐（２）（２）を穴から出して取り付けておく。ユーザーは、座板（３）（３）の紐（２）（２）をファイリングしたいパンチ穴の開いた用紙やルーズリーフノート用紙（４）（４）の穴に通して、その上から座板（１）（１）を、穴を通して取り付ける。紐（２）（２）の両側を中央部できつく拠り、用紙を強く挟みこんでファイリングする。また、パンチ穴の開いたタイトル書き込みタブ台紙（５）（５）を同時に挟むことで、整理しやすくなる。又、タブ台紙（５）（５）の代わりに、バインダー取り付け台紙（６）（６）を取り付けバインダー（７）（７）又は（８）（８）にセットして複数のファイルを保存する。
【実施例】
【０００６】針金入り紐の取り付けられた座板（３）（３）の紐（２）（２）にルーズリーフノート用紙（４）（４）を通して、その上から座板（１）（１）の穴にも通し、両側から中央へ紐（２）（２）を引き寄せてふたつを捩りファイリングする。
【発明の効果】
【０００７】１）  コンパクトにファイリングできリポートの提出に便利である。
２）  ルーズーリーフの様に綴じる部分が盛り上がっていないため、書き込むときに手がそれに当たって書きづらいということが無い。
３）  パンチ穴で作った資料をノート状にファイリング出来る。
４）  ルーズリーフノートをコンパクトに保存でき整理出来る。
５）  ルーズリーフとパンチ穴の開いた資料を混合してファイリング出来る。
６）  ルーズリーフバインダーが無くてもルーズリーフ用紙を活用し楽しめる。
７）  ファイルした書類を、バインダー取り付け台紙を用いてバインダー（７）（７）又は（８）（８）にまとめたり、書類をファイルごとに分類して収める事が出来る。
【図面の簡単な説明】
【図１】部品斜傾図
【図２】組み立ての図
【図３】ルーズリーフノートバインダーに複数のファイル取り付けの図
【図４】パンチ穴用紙バインダーに複数のファイル取り付けの図
【符号の説明】
（１）座板
（２）針金入り紐
（３）紐（２）（２）付座板
（４）用紙
（５）タイトル書き込みタブ台紙
（６）バインダー取り付け台紙
（７）ルーズリーフノートバインダー
（８）パンチ穴用紙バインダー
【図１】
2007223294.tif 000003
【図２】
2007223294.tif 000004
【図３】
2007223294.tif 000005
【図４】
2007223294.tif 000006
(57)【要約】【課題】  スライダー及びチャックの何れも一般的な形状、構造でチャックの閉じ端部の気密性を確保したスライダー付き合成樹脂製袋体を提供する。【解決手段】  開口部にスライダー付きチャックを備えた合成樹脂製袋体において、前記スライダー４によるチャック３の閉じ端部側におけるチャック３とサイドシール２とに渡る袋体隅角部に気密シール５を施した。また、スライダー４を袋体隅角部の気密シール５の範囲内で停止させるストッパ６をチャック３に設けた。【選択図】        図１
2007223651.tif 000002
【特許請求の範囲】
【請求項１】
開口部にスライダー付きチャックを備えた合成樹脂製袋体において、前記スライダーによるチャックの閉じ端部側におけるチャックとサイドシールとに渡る袋体隅角部に気密シールを施したことを特徴とするスライダー付き合成樹脂製袋体。
【請求項２】
スライダーによるチャックの閉じ端部側にスライドしたスライダーを袋体隅角部の気密シールの範囲内で停止させるストッパをチャックに設けたことを特徴とする請求項１に記載のスライダー付き合成樹脂製袋体。
【発明の詳細な説明】
【技術分野】
【０００１】
本発明は、スライダーによるチャックの閉じ端部の気密性を保持したスライダー付き合成樹脂製袋体に関するものである。
【背景技術】
【０００２】
図３で示すようにサイドシール２され、開口部にスライダー４によって開閉されるチャック３を備えた合成樹脂製袋体１において、前記スライダー４によるチャック３の閉じ端部には図４でも示すようにスライダー４内先端の開口ガイド８によってチャック３の端部を分離しているため、これによりチャック３の閉じ端部には袋体内外を連通する隙間７ができてエアーが出入りし気密性に難点があり、通気を嫌う内容物においては変質等の不具合をもたらしていた。
【０００３】
前記スライダー４によるチャック３の閉じ端部の隙間７をスライダー４とチャック３の形状、構造によって防止して気密性を保持するようにした発明が提供されているが、スライダー４とチャック３を特別な形状、構造としなくてはならずコスト高となる上に確実な密閉性は期待できないという問題を有している。
【特許文献１】ＷＯ２００３−０２２６９７公報
【特許文献２】特開２００４−０８３０６８公報
【発明の開示】
【発明が解決しようとする課題】
【０００４】
本発明は、スライダー及びチャックの何れも一般的な形状、構造でチャックの閉じ端部の気密性を確保したスライダー付き合成樹脂製袋体を提供することである。
【課題を解決するための手段】
【０００５】
上記の課題を解決するための本発明は、請求項１に記載の通り、開口部にスライダー付きチャックを備えた合成樹脂製袋体において、前記スライダーによるチャックの閉じ端部側におけるチャックとサイドシールとに渡る袋体隅角部に気密シールを施したことを特徴とするものである。
【０００６】
請求項２に記載の通り、スライダーによるチャックの閉じ端部側にスライドしたスライダーを袋体隅角部の気密シールの範囲内で停止させるストッパをチャックに設けたことを特徴とするものである。
【発明の効果】
【０００７】
本発明によると、スライダー及びチャックの何れも一般的な形状、構造でチャックの閉じ端部側における袋体隅角部に気密シールを施す簡単な構造により気密性を確保したスライダー付き合成樹脂製袋体を低コストにて提供可能とした効果を有している。
【発明を実施するための最良の形態】
【０００８】
以下本発明を実施するための最良の形態を図面に基づいて説明する。図１及び図２において１は両側がサイドシール２された合成樹脂製の袋体であり、その開口部２の上端縁には再開閉するための雌雄咬合型チャック３（天チャック）と、このチャック３を開閉するスライダー４が摺動可能にチャック３に設けられている。これらチャック３及びスライダー４は特別な形状、構造ではなく、一般的な従来周知の形状、構造である。
【０００９】
本発明は、上記合成樹脂製の袋体１において、前記スライダー４によるチャック３の閉じ端部側におけるチャック３とサイドシール２とに渡る袋体隅角部に気密シール５を施したことを特徴とするものである。
【００１０】
上記気密シール５は図示では三角形であるが、三角形に限定するものではなく、チャック３とサイドシール２とに渡る三角形の底辺を凹円弧状としたり、四角形などチャック３の閉じ端部における袋体内外を連通する隙間７が閉塞される形状であればよい。
【００１１】
さらに、前記スライダー４によるチャック３の閉じ端部側にスライドしたスライダー４を袋体隅角部の気密シール５の範囲内で停止させるストッパ６をチャック３に設けたことを特徴とするものである。
【００１２】
前記ストッパ６は図２で示すように、スライダー４をチャック３に装着するために必要とするサイドシール２から幅Ｂをあけた位置に設けられることが望ましい。
【００１３】
本発明は上記の通りの構造であるから、図１においてスライダー４を左側へのスライドでは雌雄咬合しているチャック３は開放し、図１で示すようにスライダー４が右端にスライドした状態ではチャック３が閉じられる。
【００１４】
そこで、従来ではスライダー４がチャック３の閉じ端部側にスライドした状態においては図３及び図４で示すように、チャック３の端部に袋体内外を連通する隙間７が形成するが、本発明ではチャック３の閉じ端部側におけるチャック３とサイドシール２とに渡る袋体隅角部に気密シール５が施されているため、スライダー４がストッパ６により気密シール５の範囲内で停止したチャック３の閉じ状態においてチャック３の端部に袋体内外を連通する隙間ができることがなく気密状態を保持する。
【００１５】
尚、スライダー４内先端には咬合したチャック３を分離するための開口ガイド８を有しているが、このガイド８の長さはチャック３の厚味相当であるから気密シール５に干渉することがなく気密シール５の範囲内で停止する。
【００１６】
このように、本発明はチャック３の閉じ端部側におけるチャック３とサイドシール２とに渡る袋体隅角部に気密シール５が施す簡単な構造により実現を可能とし、特別な形状、構造のスライダーやチャックを用いることなくチャック３の閉じ状態においてチャック３の端部に袋体内外を連通する隙間ができることがなく気密状態を保持することができ、低コストで提供する利点を有している。
【図面の簡単な説明】
【００１７】
【図１】本発明による袋体の正面図
【図２】本発明の要部拡大斜視図
【図３】従来例を示す要部斜視図
【図４】従来例のチャックの閉じ端部を袋体内側より視た図
【符号の説明】
【００１８】
１      袋体
２      サイドシール
３      チャック
４      スライダー
５      気密シール
６      ストッパ  
【図１】
2007223651.tif 000003
【図２】
2007223651.tif 000004
【図３】
2007223651.tif 000005
【図４】
2007223651.tif 000006
(57)【要約】      （修正有）【課題】ビン用キャップ本体のキャップ固定台は、キャップ留めに嵌めるタイプとネジによる締め込みタイプとあるが、いづれの場合でもビン容器本体からキャップ固定台を簡単に外す方法を提供する。【解決手段】ビンとキャップ固定台をゴミ分別してリサイクルする際に関し、キャップ固定台２の表面に、斜めか縦の切断用切り目３を１〜２個所入れる。キャップ固定台の切断用切り目部分の下側に引っ張り用フック４を附ける。引っ張り用フックを引っ張ると切断用切り目が切り離されて、キャップ固定台は簡単にビンから分別できる。キャップ固定台が外されたビンをリサイクルすることは除去作業も効率よくて、リターナブル・ビンにも出来てコストダウンにもなる。【選択図】図１
2007223670.tif 000002
【特許請求の範囲】
【請求項１】
ビン用キャップのキャップ固定台の表面に、斜めか縦の切断用切り目又は切断用ミシン目を１〜２個所入れて、少しの力で切断されるようにしたことを特徴とするビン用キャップ。
【請求項２】
キャップ固定台の切断用切り目部分の下側に引っ張り用フックを附けて、フックを引くことで簡単に切断用切り目が切り離されて、キャップ固定台は開いてビン容器本体から外せるようにしたことを特徴とするビン用キャップ。
【発明の詳細な説明】
【技術分野】
【０００１】  本発明は、調味料、ジュース、などの容器にビンを使用しており、それらをリサイクルする際にキャップ固定台を外すことが困難であるが、容器本体から簡単に外せるようにした。ビン用キャップ本体の改良に関するものである。
【背景技術】
【０００２】  従来は、ビン容器からキャップ固定台を素手で外すことが出来ないために、キャップ固定台は附けたままリサイクルに出すために、ワンウェー・ビンで処理されるものが多い。
【発明の開示】
【発明が解決しようとする課題】
【０００３】  ゴミ分別からリサイクルするとき、ビンからキャップ固定台が簡単に外せないため、キャップ固定台は分別されないまま、リサイクル工場に出されている。またリサイクル作業工程は、効率悪く困難で手間もかかる。ビンに関してはワンウェー・ビンで処理されるものが多い。これらを解決することを課題とする。
【問題を解決するための手段】
【０００４】  請求項１の発明は、キャップ固定台の表面に、斜めか縦の切断用切り目を入れる。その部分を少しの力で引くと切断されて、キャップ固定台は開いて簡単にビン容器から外せることを特徴とする。
【０００５】  請求項２の発明は、キャップ固定台の切断用切り目部分の下側に、引っ張り用フックを附けてフックを引くことで切断用切り目が切断れることを特徴とする。
【発明の効果】
【０００６】  ビン用キャップ本体のキャップ固定台は、キャップ留めにキャップを嵌めるタイプだが、ビン用キャップ本体にはネジによる締め込みタイプのようなものまであり、どのようなタイプにも適用できる。キャップ固定台の表面に斜めか縦の切断用切り目を入れて、切断用切り目部分の下側に引っ張り用フックを附ける。フックを引くことで簡単に切断用切り目が切り離されて、ビン容器本体とキャップ固定台を簡単に分別することができる。またリサイクルする際の作業工程の効率が良く除去作業も簡単になりリターナブル・ビンが増えてリサイクルのコストも安できる。
【発明を実施するための最良の形態】
【０００７】  図１は、ビン用キャップ本体のキャップ固定台２の表面に切断用切り目３を入れて、切断用切り目３の下側に引っ張り用フック４を附ける。引っ張り用フック４を引くことで、切断用切り目３が切断されてビンを閉めていたキャップ固定台２が緩みビン容器本体８から簡単に分別出来るようにした。
【産業上の利用可能性】
【０００８】  本発明に係るビン用キャップは、工業的に量産する事が可能であるため、産業上の利用可能性を有する。
【図面の簡単な説明】
【０００９】
【図１】  ビン用キャップ本体正面図
【符号の説明】
【００１０】  １    キャップ
２    キャップ固定台
３    切断用切り目
４    引っ張り用フック
５    キャップ固定台内側の点線
６    キャップ留め
７    調整口
８    ビン容器
【図１】
2007223670.tif 000003
(57)【要約】【課題】離型性が改善され、かつ、遣い勝手のよいプルトップタイプの注出栓を提案する。【解決手段】注出筒1cを有し容器の口部に固定保持されるベース１と、注出筒1cの内側にて該ベース１に一体成形され破断予定線ｍに沿う引きちぎりによって容器内につながる開口を形成する密閉障壁２とを備えた注出栓において、前記密閉障壁２に、柱部３を介してつながり、その連結部域の相互間にて凹部５を形成して径ｄの拡縮を容易とするプルリング４を設ける。【選択図】図１
2007223668.tif 000002
【特許請求の範囲】
【請求項１】
注出筒を有し容器の口部に固定保持されるベースと、注出筒の内側にて該ベースに一体成形され破断予定線に沿う引きちぎりによって容器内につながる開口を形成する密閉障壁とを備えた注出栓であって、
前記密閉障壁に、柱部を介してつながり、その連結部域の相互間にて凹部を形成して径の拡縮を容易とするプルリングを設けたことを特徴とする注出栓。
【請求項２】
前記凹部が略Ｖ字状をなすものである、請求項１記載の注出栓。
【発明の詳細な説明】
【技術分野】
【０００１】
本発明は、破断予定線に沿って密閉障壁を引きちぎることによって開栓する合成樹脂製の注出栓に関するものである。
【背景技術】
【０００２】
プルリングを引っ張り密閉障壁を破断予定線に沿って引きちぎることによって内容物の注出を可能とする注出栓は、不正な開封がなされたかどうか簡単に見極めることが可能で、また、容器内の内容物の品質を長期にわたって維持できることから、近年、食用油や醤油あるいは飲料等を入れる容器に多用されている。
【０００３】
かかる注出栓は、通常は、射出成形によって所望の形状に成形されている（例えば、特許文献１参照）が、とくに、プルリングの部分というのは、その中心部へ向かう変形が容易でないことから成形金型から取り出しにくく（離型性が悪い）、無理やり引き抜かざるを得ないため引っ掻き傷が生じたり、注出栓に損傷を与えてしまうおそれがあり、品質の安定化を図るのが難しい状況にあった。
【特許文献１】特開平7−257564号公報
【発明の開示】
【発明が解決しようとする課題】
【０００４】
本発明の課題は、プルリングを径方向において容易に変形可能として金型から引き抜く際の離型性を改善するとともに、開栓時においても使い勝手がよい新規な注出栓を提案するところにある。
【課題を解決するための手段】
【０００５】
本発明は、注出筒を有し、容器の口部に固定保持されるベースと、注出筒の内側にて該ベースに一体成形され、破断予定線に沿う引きちぎりによって容器内につながる開口を形成する密閉障壁とを備えた注出栓であって、
前記密閉障壁に、柱部を介してつながり、その連結部域の相互間にて凹部を形成して径の拡縮を容易とするプルリングを設けたことを特徴とする注出栓であり、上記凹部は略Ｖ字を描くような形状とするのが好ましい。
【発明の効果】
【０００６】
柱部とプルリングとの連結部域に凹部を形成することで、該凹部の対抗辺（あるいは壁）が相互に近接、離隔する向きに変形しやすくなり、これに伴いプルリングの径が容易に拡縮することとなり離型性がよくなる。また、開栓時にプルリングの径が拡大するので指が引っ掛かりやすくなるため使い勝手がよい。
【発明を実施するための最良の形態】
【０００７】
以下、図面を用いて本発明をより具体的に説明する。
図１は本発明に従う注出栓の実施の形態を断面について示した図である。
【０００８】
図における番号１はベースである。このベース１はその下側に内筒1a、外筒1bを有しており、その相互間に形成される溝部を容器の口部に嵌合させアンダーカットＣにより係止する構造のものであって、その上部には注出筒1cが設けられている。
【０００９】
また、２は注出筒1cの内側にてベース１に一体成形され、破断予定線（溝部によって形成される）ｍに沿う引きちぎりによって容器内につながる開口を形成する密閉障壁、３は密閉障壁２に設けられた柱部、４は柱部３の上端に設けられたプルリングであり、密閉障壁２、柱部３及びプルリング４は射出成形等の成形法によって一体的に形成される。
【００１０】
また、５は柱部３とプルリング４の連結部域の相互間に設けられた凹部である。この凹部５はプルリング４の上端から柱部３に向けて略Ｖ字状に切り欠いたような形状を有するものであって、その対抗辺5a、5bを相互に近接、離隔する向きに動くことができるようになっておりこれによりプルリング４の径ｄの拡縮を容易にする。
【００１１】
従来のプルトップタイプの注出栓は、図３、図４に示すような形状を有しており、かかる注出栓は金型を用いて成形されているが、この場合、プルリング４はその中心に向けた変形がし難く、該金型からの取り出しが容易ではなかった。これに対し、本発明に従う注出栓は、凹部５における変位によりプルリング４の径が容易に縮小するので金型からの取り出しが簡単であり、密閉障壁２を引きちぎる際には該プルリング４の径が拡大するので指の引っ掛かりがよくなる。
【００１２】
図５は本発明に従う実施の形態の他の例を示したものである。この注出栓は凹部５の深さを浅くしたものであって、プルリング４の径ｄの拡縮は上掲図１に示したものに比較して若干小さくはなるものの、離型性は改善され使い勝手もよくなる。なお、凹部５の形状は、前記実施例で示した形状に限定されるものではなく、プルリング４の径ｄが拡縮可能であれば略矩形状や略Ｕ字状等種々の形状を採用することができる。
【産業上の利用可能性】
【００１３】
離型性が改善され、使い勝手のよいプルトップタイプの注出栓が提供できる。
【図面の簡単な説明】
【００１４】
【図１】本発明に従う注出栓の実施の形態を示した図である。
【図２】図１に示した注出栓の要部の外観斜視図である。
【図３】従来の注出栓の断面を示した図である。
【図４】図３に示した注出栓の要部の外観斜視図である。
【図５】本発明に従う注出栓の他の実施の形態を示した図である。
【符号の説明】
【００１５】
１  ベース
1a  内筒
1b  外筒
1c  注出筒
２  密閉障壁
３  柱部
４  プルリング
５  凹部
5a  凹部の辺
5b  凹部の辺
ｍ  破断予定線
ｄ  径
【図１】
2007223668.tif 000003
【図２】
2007223668.tif 000004
【図３】
2007223668.tif 000005
【図４】
2007223668.tif 000006
【図５】
2007223668.tif 000007
(57)【要約】  【課題】複数の被搬送材の間に移動速度の違いが生じず、また、被搬送材に疵が発生することもない搬送装置を提供する。【解決手段】円柱状ローラー８と、そのローラーの駆動軸７に回転自在に取り付けられていて円筒状ローラー８とは独立に回転する鍔９とを備えることを特徴とするローラー式搬送装置。この装置では、鍔９が自在に回転するので鍔に接触する被搬送材11の移動速度の低下がなく、全ての被搬送材が同じ移動速度で搬送される。従って、搬送後の被搬送材端部の不揃いが解消される。また、被搬送材の表面疵の発生も防止できる。【選択図】図５
2007223682.tif 000002
【特許請求の範囲】
【請求項１】
円柱状ローラーと、そのローラーの駆動軸に回転自在に取り付けられていて円筒状ローラーとは独立に回転する鍔とを備えることを特徴とするローラー式搬送装置。
【発明の詳細な説明】
【技術分野】
【０００１】
本発明は、棒材、管材等を搬送するためのローラー式の搬送装置であって、多数の被搬送材が同じ移動速度で搬送される装置に関する。
【背景技術】
【０００２】
図１から図３までは、通常のローラー式搬送装置を示す模式的な断面図である。長尺の棒材や管材（以下、これらを総称して「被搬送材」という）の搬送には、図１に示すようなフラットローラー１と縦ローラー２とを組み合わせた装置、図２に示すようなフラットローラー１とサイドガイド３とを組み合わせた装置、あるいは図３に示すようなローラーと鍔が一体になった鍔付きローラー４が使用される。なお、これらの図において、５は被搬送材であり、便宜的に断面が円形のものを示したが、断面形状は円形に限らない。
【０００３】
上記のような搬送装置のうちの図１および図２の装置では、搬送中に縦ローラー２またはサイドガイド３に接触する被搬送材が、接触抵抗によって徐々に遅れてしまう。したがって、搬送後に被搬送材の端部の位置が不揃いになってしまう。一方、図３に示した鍔付きローラーでは、図４に示すように、鍔の周速の方が胴部の周速よりも大きいので、鍔に接触する被搬送材が徐々に先行して、この場合も多数の被搬送材の端部の不揃いが生じる。
【０００４】
上記のような接触抵抗や搬送速度の相違は、被搬送材とサイドガイドとの間のすべりや、被搬送材相互のすべりに起因する表面疵発生の原因にもなる。また、図１に示したようなフラットローラー１と縦ローラー２の組合せでは、それぞれのローラーを同一断面に配置できないため、より広い設置スペースが必要になるだけでなく、部品点数が多いために保守管理にも手間がかかる。
【発明の開示】
【発明が解決しようとする課題】
【０００５】
本発明の課題は、上記の諸問題を解決することにあり、具体的な目的は、複数の被搬送材を搬送する場合でも被搬送材の間に移動速度の違いが生じず、また、被搬送材に疵が発生することもなく、しかも、構造が比較的簡単で限られたスペースにも設置が可能な搬送装置を提供することにある。
【課題を解決するための手段】
【０００６】
本発明は「円柱状ローラーと、そのローラーの駆動軸に回転自在に取り付けられていて円筒状ローラーとは独立に回転する鍔とを備えることを特徴とするローラー式搬送装置」を要旨とする。
【発明の効果】
【０００７】
本発明の搬送装置を用いれば、多数の被搬送材を同じ移動速度で搬送することができる。また、被搬送材の表面疵の発生も防止できる。
【発明を実施するための最良の形態】
【０００８】
図５は、本発明の搬送装置の一例を示す模式的な断面図である。図示のとおり、この搬送ローラーは、軸受６で支えられた駆動軸７によって回転させられるローラー８を有する。そして、このローラー８に接して鍔９が取り付けられている。鍔９は、軸受10によって駆動軸７の周りで自由に回転できる。即ち、駆動軸７およびローラー８の回転とは無関係に自由に回転できるように取り付けられている。
【０００９】
被搬送材11、12は、ローラー８の回転によって搬送される。そのとき、ローラー８の両端にある被搬送材11は、鍔10によって脱落が防止される。また、鍔10が回転自在であるから、その鍔に接触した被搬送材11の移動速度が減じられることがなく、被搬送材12と同じ速度で移動する。即ち、全ての被搬送材が同じ速度で搬送される。
【００１０】
上記の構造の搬送装置によれば、多数の被搬送材の同時搬送においても、搬送終了後にはそれらの端部が不揃いになることがない。また、前述した接触抵抗や移動速度の相違に基づく疵の発生も防止される。
【産業上の利用可能性】
【００１１】
本発明の搬送装置は、図１に示したようなフラットローラーと縦ローラーとからなるものに比較してコンパクトであるから、狭い空間にも設置できる。しかも、多数の被搬送材を同じ移動速度で搬送できるので、搬送後の被搬送材の不揃いがなく、また、搬送中に被搬送材の表面に疵が発生することもない。本発明は、品質のよい棒材や管材等の生産に大きく寄与する。
【図面の簡単な説明】
【００１２】
【図１】従来の搬送装置の一例を示す模式的な断面図である。
【図２】従来の搬送装置の他の一例を示す模式的な断面図である。
【図３】従来の鍔付きローラーを備えた搬送装置を示す模式的な断面図である。
【図４】図３に示した搬送装置の周速の違いを説明する図である。
【図５】本発明の搬送装置の一例を示す模式的な断面図である。
【符号の説明】
【００１３】
１、８：ローラー、２：縦ローラー、３：サイドガイド、４：鍔付きローラー、
５、11、12：被搬送材、６、10：軸受、７：駆動軸
【図１】
2007223682.tif 000003
【図２】
2007223682.tif 000004
【図３】
2007223682.tif 000005
【図４】
2007223682.tif 000006
【図５】
2007223682.tif 000007
(57)【要約】【課題】水質改善効果や脱臭効果の高いセラミック固形物を提供する。【解決手段】ゼオライトを粉砕して得られたゼオライト粉末に適量の水、好ましくはマイナスイオン水を混合し、十分に練り合わせる。そして、人の手などを用いて所定形状の固形物、例えば直径５ｍｍ〜１５ｍｍの球状物に成形する。このゼオライト球状物は水分を含んでいるので、１週間位かけて日陰で自然乾燥させる。このとき、日干しなどにすると、ゼオライト球状物に割れが入るので注意を要する。その後、１１５０℃〜１２５０℃の炉内で、２日間程度かけて、ゼオライト球状物を焼結してセラミック球状物とする。このとき炉として、マイナスイオンが発生すると言われている登り釜を用い、燃料として赤松を用いることが好ましい。焼結されたセラミック球状物は室温まで自然冷却する。ゼオライト固形物の形状は球状に限らず、用途に適した形状を選択すればよい。【選択図】図１
2007223868.tif 000002
【特許請求の範囲】
【請求項１】
ゼオライト粉末に水を混合して練り固めて所定形状の固形物とする工程と、この固形物を自然乾燥させる工程と、自然乾燥された前記固形部を１１５０℃〜１２５０℃の炉内で焼結する工程と、焼結された前記固形物を自然冷却する工程とを備えることを特徴とするセラミック固形物の製造方法。
【請求項２】
前記水はマイナスイオンを含むマイナスイオン水であることを特徴とする請求項１に記載のセラミック固形物の製造方法。
【請求項３】
前記固形物が、直径５ｍｍ〜１５ｍｍの球状物であることを特徴とする請求項１に記載のセラミック固形物の製造方法。
【発明の詳細な説明】
【技術分野】
【０００１】
本発明は、水質改善効果、脱臭効果等を有するセラミック固形物の製造方法に関する。
【背景技術】
【０００２】
従来より、セラミックを球状に加工してなるセラミックボールが知られている。セラミックボールは、マイナスイオンや遠赤外線を発生し、水質改善効果、脱臭効果があると言われている。セラミックの素材としてはトルマリンやゲルマニウム等がある。
【発明の開示】
【発明が解決しようとする課題】
【０００３】
本発明はセラミックによる水質改善効果、脱臭効果、その他の効果をさらに高めるために、セラミック素材の選定や製造方法の工夫、使用実験を鋭意試みた結果、本発明を為すに至ったものである。
【課題を解決するための手段】
【０００４】
本発明のセラミック固形物の製造方法は、ゼオライト粉末に水を混合して練り固めて固形物とし、この固形物を自然乾燥させた後に、１１５０℃〜１２５０℃に加熱して焼結し、これを自然冷却してなるものである。
【発明の効果】
【０００５】
本発明のセラミック固形物の製造方法によれば、水質改善効果や脱臭効果の高いセラミック固形物を提供することができる。特に、このセラミック固形物をディーゼル車、ガソリン車の燃料タンクに投入することにより、燃費が１０％〜１５％向上し、排気ガスも大幅に削減されるという効果が得られる。
【発明を実施するための最良の形態】
【０００６】
本発明の実施の形態について図１を参照して説明する。ゼオライトは沸石とも呼ばれる鉱石であり、マイナスイオンや遠赤外線を多く発生する。このゼオライトを粉砕して得られたゼオライト粉末に適量の水、好ましくマイナスイオンを含むマイナスイオン水を混合し、十分に練り合わせる。（工程１）そして、人の手などを用いて所定形状の固形物、例えば直径５ｍｍ〜１５ｍｍの球状物に成形する。（工程２）このゼオライト球状物は水分を含んでいるので、１週間位かけて日陰で自然乾燥させる。（工程３）このとき、日干しなどにすると、ゼオライト球状物に割れが入るので注意を要する。その後、１１５０℃〜１２５０℃の炉内で、２日間程度かけて、ゼオライト球状物を焼結してセラミック球状物とする。（工程４）このとき炉として、マイナスイオンが発生すると言われている登り釜を用い、燃料として赤松を用いることが好ましい。焼結されたセラミック球状物は室温まで自然冷却する。（工程５）ゼオライト固形物の形状は球状に限らず、用途に適した形状を選択すればよい。
【０００７】
こうして製造されたセラミック球状物の使用実験結果について以下で説明する。まず、家庭での使用について、水差しの中にセラミック球状物を２〜３個、ウイスキーの水割りの中に２〜３個入れることにより、水道水のカルキ臭が脱臭され、また殺菌効果により水が腐りにくい効果がある。また、ジャーポットの底部にはカルキの固まりが溜まるものであるが、このセラミック球状物を１個入れておくことで、カルキの固まりが剥がれるという効果があった。また、浴槽に５個入れることにより、カルキ臭の脱臭、石鹸の泡がきめ細かくなるという効果があった。化粧クリームの容器の中に１個、入れておけば、クリームの肌の上で伸びが良くなり、化粧水の容器に１個、入れておけば化粧水の肌への浸透が良くなるという効果もあった。
【０００８】
業務用としては、理容店で用いられる蒸しタオルの保温機に３個入れることにより、脱臭効果が確認された。また、顔剃り用のお湯カップの中に３個入れることにより、シェービングクリームの泡立ちが非常に良好になった。また、セラミック球形物をディーゼル車、ガソリン車の燃料タンクの底に、５個〜１０個の適量投入することにより、同速度時のエンジンの回転数が３０００ｒｐｍから２８００ｒｐｍに減少し、燃費が１０％〜１５％向上した。また、排気ガスも大幅に削減されるという効果が得られた。
【図面の簡単な説明】
【０００９】
【図１】本発明の実施の形態によるセラミック球状物の製造フロー図である。
【図１】
2007223868.tif 000003